(57)【要約】【課題】容器器の出荷時には嵩張ることがなく、容器を適当な場所に安定させて立たせること。【解決手段】容器１は、容器本体２の取出し開口（脆弱部１３）を閉塞する蓋部材３とからなる。容器本体２の下部外側には、容器本体２と蓋部材３と分離した後に、容器本体２に蓋部材３を組付けるスリット１６及び容器本体２の外側に突出する補助脚部７を形成している。蓋部材３には、蓋部材３の外側に突出する保持脚部１１を形成し、スリット１６の保持脚部１１の翼部１４を差し込んで、容器本体２に蓋部材３を組付けて、保持脚部で容器本体の起立姿勢を支持するようにした。【選択図】図３
2008222236.tif 000002
【特許請求の範囲】
【請求項１】
容器本体と該容器本体を閉塞する蓋部材とからなる容器において、容器本体の一端部に前記蓋部材を前記容器本体に組付ける係合部を形成し、前記蓋部材には前記容器本体を閉塞する蓋本体と、前記容器本体の内容物を収容する胴部よりも外側に突出する保持部を形成し、容器本体と蓋部材の分離後は、前記係合部に前記蓋部材を組付けて、前記保持部で前記容器本体の起立姿勢を維持するようにしたことを特徴とする容器。
【請求項２】
前記容器本体の下部には、該容器本体の胴部よりも外側に突出する補助部を形成し、前記保持部と前記補助部によって前記容器本体の起立姿勢を支持するようにしたことを特徴とする請求項１に記載の容器。
【請求項３】
前記保持部は前記蓋本体の中心部を通る一直線上に向かい合う位置に２本配置されるとともに、前記補助部は前記容器本体の中心部を通る一直線上に向かい合う位置に２本配置し、前記容器本体の未開封状態で前記保持部と前記補助部とが同一水平面上を通るように配置され、かつ前記容器本体の係合部に前記蓋本体を組付けた状態では、前記保持部と前記補助部がほぼ十字形状になるように配置したことを特徴とする請求項２又は３に記載の容器。
【請求項４】
前記保持部は、前記蓋部材の外側へ突出する板状の翼部を形成し、上記容器本体の係合部は容器本体の下端から上方へ延びるように形成したスリットであって、前記翼部をスリットに差し込んで前記容器本体に前記蓋部材を組み付けたことを特徴とする請求項１〜３のいずれか１項に記載の容器。
【請求項５】
前記補助部は３以上が設けられ、前記キャップ本体を倒した状態で、３以上の補助部のうち一番高い位置にある補助部の高さが胴部の最大高さよりも低い位置に形成したことを特徴とする請求項２〜４のいずれか１項に記載の容器。
【請求項６】
前記蓋部材と前記容器本体とは前記取り出し開口部で一体的に連結され、これらの連結部が破断可能な脆弱部によって連結され、かつ上記容器本体の内容物が医科用接着材であることを特徴とする請求項１〜５のいずれ１項に記載の容器。
【発明の詳細な説明】
【技術分野】
【０００１】
本発明は、自分自身で起立姿勢をとることのできない形状であっても、蓋部材によって起立姿勢を保持できる蓋部材に関する。
【背景技術】
【０００２】
歯科用に用いられる接着材については、複数回を繰り返して使用する容器に収容されるものと、１回分のだけの治療に用いられる容器に収容されるものがある。前者の複数回を繰り返して使用する容器は、治療回数の相当分が容器に収容され、治療毎に蓋部材を開栓してその都度治療を行っている。後者の１回分の治療のみについて接着材を使用する容器については、密閉状態にある容器が開栓されて、接着材の残量にかかわらず、治療後に容器がその都度廃棄される。
【０００３】
図６は、従来の歯科用接着材に用いられる容器を示す。
容器５１は容器本体５２とその蓋部材５３とから構成され、有底円筒体の容器本体５２の開口側に蓋部材５３が嵌合するように配設されている。図示の状態では、容器５１は未開封状態であり、容器５１を開けて接着材を取り出すには、蓋部材５３を図示の状態から、蓋部材５３を容器本体５２の内方に押し込んで（矢印ａ方向）、蓋部材５３のフランジ５７が容器本体５２の上端面５８に当接するまで押し込む。すると、内部構造によって、容器５１の内部に形成されている封止部が開封（図示せず）し、蓋部材５３の上部に形成されている開口５４にロッド５５の先端部５６を差し込み、先端部５６に接着材を付着させて接着材を取り出すようにしている。なお、容器５１は、蓋部材５３を容器本体５２に押し込んだ後は、図１に示す未開封位置に戻すことができないように構成され、歯科治療が終了した後は、蓋部材５３を容器本体５２に差し込んだままの状態で廃棄される。
【０００４】
図７は、従来の他の歯科用接着材に用いられている容器を示す。
容器６１は容器本体６２とその蓋部材６３とから構成され、下部に円板形状の台座６４が設けられ、中心部には容器部６５が台座６４から上方に立設するように上下方向に設けられ、容器部６５の左右両側には、薄板形状のフィン６６ａ，６６ｂが形成されている。容器本体６２の上部には、蓋部材６３が形成されている。容器本体６２と蓋部材６３の間には、脆弱部６８が形成され、この脆弱部６８は容器部６５に接着材を収容した後に、溶着などによって結合される。
【０００５】
容器６１を開けて接着材を取り出すには、蓋部材６３を掴み捻るようにして脆弱部６８を切断する。そして、そのまま容器本体６２を立てた姿勢で適当な位置において、脆弱部６８を切断して形成された開口６９にロッド（図１参照）を差し込んで、ロッドの先端部に接着材を付着させて歯科治療を行なっている。歯科治療が終了した後は、容器本体６２が蓋部材６３と分離した状態で廃棄される。
なお、１回限りの使い捨て容器については、下記の特許文献１及び特許文献２の容器が開示されている。
【特許文献１】特開２００３−３１０６４６号公報
【特許文献２】特開２００３−１７５０７７号公報
【発明の開示】
【発明が解決しようとする課題】
【０００６】
図６に示す容器５１は、容器５１を廃棄するときにおいて、開栓後は容器本体５２と蓋部材５３とが一体であるので、これらが分散しないで廃棄できる利点がある。その一方、全体として縦方向に長く、容器５１を起立姿勢にすると不安定である。たとえ起立させたとしても、ロッド５５を容器５１に差し込んだときの僅かな揺れで、容器５１が倒れてしまう。したがって、歯科医師は作業中に容器５１を開封すると、容器５１を一方の手に持ち、他方の手にロッド５５を持ちながら作業を行わなければならず、両手で作業を行う必要があるときには、助手に容器５１を持ってもらうことがあり不便である。
【０００７】
図７に示す容器６１は、容器本体６２の下部に台座６４を形成しているので、容器本体６２を適当な場所に立たせることができ、例えば、歯科医師は片手で患者を押さえ、残りの手を使って接着材の塗布を患者に施すことができ、作業を行うのに便利である。その一方、この容器６１は、容器本体６２と蓋部材６３とが分離した状態であるので、治療後には容器本体６２と蓋部材６３とが分散して状態で廃棄されてしまうことが多い。
さらには、容器本体６２を安定して立たせるために、容器本体６２の断面積よりも十分に大きな底面を有する台座６４を形成している。これらの使い捨ての歯科用接着材を出荷するときは、通常何百ピース（例えば５００ピース）を１ケースにしてまとめて出荷するのが通常であり、台座６４が大きいために、三次元方向に容器６１が大きくなり、出荷時にケースが嵩張ってしまう問題点もある。
【０００８】
本発明は、このような事情に鑑みてなされたものであって、容器の出荷時には嵩張ることがなく、容器を適当な場所に安定させて立たせることができ、容器本体の廃棄時には、容器本体と蓋部材が分散しない容器を提供することを目的とする。
【課題を解決するための手段】
【０００９】
本発明の容器は、上記目的を解決するために、容器本体と該容器本体を閉塞する蓋部材とからなる容器において、容器本体の一端部に前記蓋部材を前記容器本体に組付ける係合部を形成し、前記蓋部材には前記容器本体を閉塞する蓋本体と、前記容器本体の内容物を収容する胴部よりも外側に突出する保持部を形成し、容器本体と蓋部材の分離後は、前記係合部に前記蓋部材を組付けて、前記保持部で前記容器本体の起立姿勢を維持するようにした。
上記容器の前記容器本体の下部には、該容器本体の胴部よりも外側に突出する補助部を形成し、前記保持部と前記補助部によって前記容器本体の起立姿勢を支持することが好ましい。
上記容器の前記保持部は、前記蓋本体の中心部を通る一直線上に向かい合う位置に２本配置されるとともに、前記補助部は前記容器本体の中心部を通る一直線上に向かい合う位置に２本配置し、前記容器本体の未開封状態で前記保持部と前記補助部とが同一水平面上を通るように配置され、かつ前記容器本体の係合部に前記蓋本体を組付けた状態では、前記保持部と前記補助部がほぼ十字形状になるように配置することができる。
また、上記容器の前記保持部は、前記蓋部材の外側へ突出する板状の翼部を形成し、上記容器本体の係合部は容器本体の下端から上方へ延びるように形成したスリットであって、前記翼部をスリットに差し込んで前記容器本体に前記蓋部材を組み付けることが好ましい。
上記容器の前記補助部は３以上が設けられ、前記キャップ本体を倒した状態で、３以上の補助部のうち一番高い位置にある補助部の高さが胴部の最大高さよりも低い位置に形成することができる。
さらに、上記容器の前記蓋部材と前記容器本体とは前記取り出し開口部で一体的に連結され、これらの連結部が破断可能な脆弱部によって連結され、かつ上記容器本体の内容物が医科用接着材であることが好ましい。
【発明の効果】
【００１０】
本発明の容器は、容器本体と該容器本体を閉塞する蓋部材とからなる容器において、容器本体の一端部に前記蓋部材を前記容器本体に組付ける係合部を形成し、前記蓋部材には前記容器本体を閉塞する蓋本体と、前記容器本体の内容物を収容する胴部よりも外側に突出する保持部を形成し、容器本体と蓋部材の分離後は、前記係合部に前記蓋部材を組付けて、前記保持部で前記容器本体の起立姿勢を維持するようにしたので、容器が傾倒しないように、安定感を持って保持することができる。なお、容器は容器本体が容器本体自身で起立姿勢の維持できるか否かの有無は問わない。
上記容器の前記容器本体には、該容器本体の胴部よりも外側に突出する補助部を形成し、前記保持部と補助部によって前記容器本体の起立姿勢を支持するようにしたので、より容器本体を、起立姿勢にて安定させることができる。
上記容器の蓋部材の前記保持部は、前記蓋本体の中心部を通る一直線上に向かい合う位置に２本配置されるとともに、前記補助部は前記容器本体の中心部を通る一直線上に向かい合う位置に２本配置し、前記容器本体の未開封状態で前記保持部と前記補助部とが同一水平面上を通るように配置され、かつ前記容器本体の係合部に前記蓋本体を組付けた状態では、前記保持部と前記補助部がほぼ十字形状になるように配置したので、容器本体の起立姿勢の安定感がさらに大きくなる。また、蓋部材を開栓するときは、保持部を回すことによって、小さなトルクで蓋部材を開栓することができる。
上記容器の蓋部材の前記保持脚部は３以上が設けられ、前記キャップ本体を倒した状態で、３以上の保持脚部のうち一番高い位置にある保持脚部の高さが胴部の最大幅又は最大径よりも小さく形成したので、容器を多数個集めて梱包するときに、胴部厚さよりも厚くならないので、梱包容積を小さくすることができる。
上記容器の前記蓋部材と前記容器本体とは前記取り出し開口部で一体的に連結され、これらの連結部が破断可能な脆弱部によって連結されているので、破断された蓋部材は、通常、容器本体と蓋部材が別々に廃棄されることになる。本発明では、蓋部材が容器本体と蓋部材とが別々になることなく連結したまま廃棄することができる。また、蓋部材は、容器本体の保持部として廃棄される前に機能的に使用することができる。
【発明を実施するための最良の形態】
【００１１】
以下、本発明の実施形態の容器について、図面を参照しながら説明する。
図１は、歯科治療用の接着材入れの未使用状態の容器を示し、図２は容器本体２を示す。
図２に示す容器１は、歯科治療用の接着材を入れるいわゆる使い捨てタイプの容器である。樹脂製の容器１は、下部に容器本体２が形成され上部に蓋部材３が形成されている。
これらのうち、容器本体２は上部に接着材が収容される胴部５が形成され、胴部５の形状は有底円筒形状である。胴部５の下部には、胴部５より大径の台座６が形成されている。台座６の周囲には、台座６の径方向に対向させて、かつ直径方向外側に突出する補助脚部７が、台座６の中心方向に向かい合うようにして２本形成されている。補助脚部７は台座６に一端が連結されている翼部８と翼部８の他端（先端）に連結されている円柱部９とからなる。翼部８は四角形状の板状部材であり、円柱部９の上端部は翼部８の上端部よりも上側に突出している。
【００１２】
蓋部材３は、蓋本体１０と保持脚部１１とからなり、蓋本体１０には仕切壁１２によって、容器本体２の内部を閉塞するようにしている。保持脚部１１は、蓋本体１０の周囲に設けられ、蓋本体１０の径方向に対向させて、かつ直径方向外側に突出する保持脚部１１が２本形成されている。保持脚部１１は、は蓋本体１０に一端が連結されている翼部１４と翼部１４の他端（先端）に連結されている円柱部１５とからなる。この保持脚部１１を形成する位置は、蓋部材３の補助脚部７の延在平面方向に対し、保持脚部１１の延在平面方向が同一平面上になるように配設される。
容器１は、容器本体２に接着材を収容した後に、容器本体２と蓋部材３とを溶着などの閉塞手段によって気密になるように接合するとともに、これらの接合部が他の部分よりも肉厚を薄くするなどした脆弱部１３を形成している。
【００１３】
容器本体１の台座６には、下側が開口した有底円筒形であり、台座６の周壁部には周壁部の下端から上側に延びるように形成した一対のスリット１６が形成されている。スリット１６を形成する位置は、台座６の中心を通りかつ一対の補助脚部７を結んだ直線に対して直角方向となる線上位置に配置されている。従って、補助脚部７とスリット１６は、台座６の周方向に９０度間隔で互い違いに配置されている。スリット１６の幅は、保持脚部１１の翼部１４の厚さにほぼ等しくなるように形成されている。
台座６には内孔１９を形成し内孔１９の内径は、蓋部材３の蓋本体１０の外径とほぼ等しく、容器本体２と蓋部材３を分離したときは、台座６の内孔１９に蓋部材３が嵌合するように形成している。
【００１４】
このような容器によって、歯科医師が歯の治療をするため接着材を使用するときは、容器本体２を一方の手で掴み、他方の手で蓋部材３の保持脚部１１を掴んで、容器本体２と保持脚部１１を逆方向に回転させることにより、脆弱部１３を切断する。脆弱部１３を切断することによって、容器本体２に接着材の取出し開口１７が形成される。この際、保持脚部１１は、両端部にある円柱部１５及び１５間の距離Ｌが長いので、回転モーメントが大きくなって小さな力で脆弱部１３を切断することができる。
蓋部材３を容器本体２から分離させた後は、図３に示すように、保持脚部１１の向きを上下方向が逆になるように向け、さらに蓋部材３の保持脚部１１の位置を容器本体２の補助脚部７に対して９０度、周方向にずらす位置に回転させる。そして、容器本体２の台座６の直下方に蓋部材３を持って行き、台座６の内孔に蓋部材３の蓋本体１０を嵌合するとともに、保持脚部１１の翼部１４をスリット１６に差し込む。すると、図４に示すように、容器本体２と蓋部材３とがロケット形状に連結され、容器１の下部は、補助脚部７と保持脚部１１とで十字形状になる。
【００１５】
このように、容器本体２が取出し開口１７を上に向けた状態で、適当な位置に容器１を置くことによって、容器１は安定した起立姿勢を維持することができる。この容器本体２に対する蓋部材３の組み付け時においては、スリット１６が位置決め部となり、確実に脚部７，１１を十字形状に形成できる。
したがって、歯科医師は安定状態で置かれた容器１の取り出し開口１７にロッド１８の先端部を差し込んで、接着材を取り出すことができ、接着材の取り出し中に容器が傾倒するようなことが防止される。
なお、本実施形態における容器１は、意匠的に上述したロケット形状に形成したものであり、例えば、補助脚部７及び保持脚部１１の先端外側に形成した円柱部１５については、省略することができる。さらには、全く別の形状の保持部材であってもよい。
【００１６】
こうして、歯科医師は容器本体２を適当な場所に立たせ、両手を使って接着材の塗布を患者の歯に施すことができる。治療後は、容器１を廃棄するが、容器本体２と蓋部材３とが一体的に結合されているので、これらが分離して廃棄されることがない。通常は、容器本体２から蓋部材３を分離した時点にて、蓋部材３がゴミとなるが、ゴミになる前に蓋部材３の有効利用を図ることができる。
図４に示すように、補助脚部７と保持脚部１１を十字形状にした場合は、縦と横の長さがＬ×Ｌ（Ｌは図１参照）となるが、容器１の未使用状態では、図１に示すように、縦と横の長さがＬ×Ｗ（Ｗは図２参照）となる。未使用時に多数の容器１を１箱に梱包するようなときは、容器１の全体の形状を薄くすることができ、例えば、容器１を倒した姿勢で重ね合わせることによって、少ない容積に多数の容器１を梱包材に収容することができる。
【００１７】
次に、本発明の第２の実施形態について説明する。
なお、上記第１の実施形態と同じ符合を付して説明し、同一部分についての詳細な説明は省略する。
上記第１の実施形態では、図１に示すように、容器本体２側に補助脚部７を２個形成し、保持脚部１１も蓋部材３に同様に２個形成したが、補助脚部７及び保持脚部１１の数量については、適宜変更することができる。
図５は、容器本体２の台座６の水平方向断面図である。本実施形態では、台座６の外周部に４個の補助脚部７を形成している。１組の補助脚部７を近接させて２組の補助脚部７を台座６の径方向に対向するように配置されている。但し、１組の補助脚部７の先端側の最長間隔Ｍは、台座６の外径Ｗよりも小さく形成する必要がある。蓋部材３の形状は、上記実施形態の蓋部材３と同じ形状である。
【００１８】
この台座６に、上記第１の実施形態と同じ形状の蓋部材３を切断し、蓋部材３を台座６に組み込むと、４本の補助脚部７及び２本の保持脚部１１の計６本の脚部７，１１で容器本体２を起立姿勢に維持させることができる。したがって、より安定のよい容器本体２の起立姿勢を維持させることができる。
容器本体２を倒した状態では、補助脚部７の先端側の最長間隔Ｍが台座６の外径Ｗよりも小さいので、容器１を多数梱包するときには、上記第１の実施形態と、実質的に同様の容積量にて、梱包することができる。
なお、蓋部材３においても、その周囲に設けられる保持脚部１１を、上記台座６の補助脚部７と同様の構造のものとして４個設けても良い。この場合、容器本体２はさらに安定させて、起立姿勢を維持することができるようになる。
【００１９】
以上、本発明の実施の形態について説明したが、本発明の技術的思想に基づいて、勿論、本発明は種々の変形又は変更が可能である。
例えば、上記実施形態では歯科用接着材を入れる歯科用容器として説明したが、容器の用途には歯科用容器に限定されず、起立姿勢が安定しない他の容器にも適用することができる。
上記実施形態では、蓋本体１０を台座６の内孔１９に内嵌させたが、台座６の外周部に蓋部材１０を外嵌させてもよい。この場合は、台座６の補助脚部７の翼部８を差し込むスリットを蓋本体１０に形成し、翼部８をスリットに差し込むことになる。この態様では、容器本体２の底部まで内容液の収容部として利用できる。また、容器本体の高さを低くできるので容器本体１０の起立姿勢をさらに安定させることができる。
【００２０】
また、上記実施形態では、容器本体２と蓋部材３との結合を脆弱部１３によって形成し、脆弱部１３を破断するようにしたが、蓋部材３についてはネジ式の蓋部材あるいは、差し込み（嵌合）式の蓋部材にも適用が可能である。
さらには、梱包の大きさについて問題としない場合は、蓋部材３側に補助脚部７に相当するものを取付けることによって、蓋部材３に既存の保持脚部１１と併せて十字形状に脚部７，１１を配置してもよい。
【図面の簡単な説明】
【００２１】
【図１】本発明の第１の実施形態における容器本体と蓋部材とからなる容器の未使用状態の斜視図である。
【図２】図１の容器の容器本体から蓋部材を外した状態の容器本体の斜視図である。
【図３】図１の容器本体から蓋部材を外して蓋部材を容器本体に装着しようとした状態の容器の斜視図である。
【図４】図１の容器本体から蓋部材を外して蓋部材を容器本体に装着した状態の容器の斜視図である。
【図５】本発明の第２の実施形態の容器本体の台座部における断面図である。
【図６】従来の歯科用に使用されている接着材用の使い捨て容器の斜視図である
【図７】従来の歯科用に使用されている接着材用の他の使い捨て容器の斜視図である。
【符号の説明】
【００２２】
１  容器
２  容器本体
３  蓋部材
６  台座
７  補助脚部
８，１４  翼部
９，１５  円柱部
１０  蓋本体
１１  保持脚部
１３  脆弱部
１６  スリット
【図１】
2008222236.tif 000003
【図２】
2008222236.tif 000004
【図３】
2008222236.tif 000005
【図４】
2008222236.tif 000006
【図５】
2008222236.tif 000007
【図６】
2008222236.tif 000008
【図７】
2008222236.tif 000009